(57)【要約】      （修正有）【課題】蒸れをより効果的に抑制できるマスクを提供する。【解決手段】マスク１０は、マスク本体１２と、マスク本体１２の下端部１２ａに形成された筒状部１８と、筒状部１８の内部に配置された第１ガイド部材１４および第２ガイド部材１６とを備えている。第１ガイド部材１４および第２ガイド部材１６の一方端部１４ａ、１６ａは、マスク本体１２の左右方向の中央部に固定されており、他方端部１４ｂ、１６ｂは、マスク本体１２の左端部１２ｂおよび右端部１２ｃにおいて筒状部１８から引き出されている。マスク本体１２は、使用者の口および鼻との間に呼吸をするための呼吸空間を構成するように立体的に形成されている。マスク本体１２の下端部１２ａを第１ガイド部材１４および第２ガイド部材１６に沿って左右方向へ広げたり絞ったりすることによって、呼吸空間を下方へ向けて開放したり閉じたりすることができる。【選択図】図３
0003231698.tif 000002
【実用新案登録請求の範囲】
【請求項１】
柔軟性を有する材料で形成され、使用者の口および鼻を覆うマスク本体と、
前記マスク本体の下端部に使用者から見て左右方向へ延びて形成された筒状部と、
前記筒状部の内部に配置され、その一方端部が前記マスク本体に固定され、その他方端部が前記マスク本体の左端部において前記筒状部から引き出された第１ガイド部材と、
前記筒状部の内部に配置され、その一方端部が前記マスク本体に固定され、その他方端部が前記マスク本体の右端部において前記筒状部から引き出された第２ガイド部材とを備え、
前記マスク本体は、使用者の口および鼻との間に呼吸をするための呼吸空間を構成するように立体的に形成されており、
前記第１ガイド部材および前記第２ガイド部材は、容易に変形可能な材料によって細長い形状に形成されており、
前記マスク本体の下端部を前記第１ガイド部材および前記第２ガイド部材に沿って左右方向へ広げたとき、前記マスク本体の下端部が使用者の顔から離間して、前記呼吸空間が下方へ向けて開放され、
前記マスク本体の下端部を前記第１ガイド部材および前記第２ガイド部材に沿って左右方向の中央部へ向けて絞ったとき、前記マスク本体の下端部が使用者の顔に接触して、前記呼吸空間が閉じられる、マスク。
【請求項２】
前記第１ガイド部材および前記第２ガイド部材は、扁平形状に形成されており、
前記筒状部が前記第１ガイド部材および前記第２ガイド部材に接触したときに生じる摩擦力によって、前記マスク本体の下端部が前記第１ガイド部材および前記第２ガイド部材に対して左右方向へ移動することが抑制される、請求項１に記載のマスク。
【請求項３】
前記マスク本体は、その表面を構成するシート状の表生地と、その裏面を構成するシート状の裏生地とを有しており、
前記筒状部は、前記表生地の下端部で構成された帯状の表部分と、前記裏生地の下端部で構成された帯状の裏部分とを有しており、
前記第１ガイド部材および前記第２ガイド部材は、前記表部分と前記裏部分との間に配置されている、請求項２に記載のマスク。
【請求項４】
前記表生地および前記裏生地の少なくとも一方の下端部は、前記表生地と前記裏生地との間に折り返されて二重に構成されており、その折り返された折返し部が前記筒状部の内部で前記第１ガイド部材および前記第２ガイド部材に接触されている、請求項３に記載のマスク。
【請求項５】
前記表生地は、主として天然材料で形成されており、
前記裏生地は、前記表生地の材料に比べて耐摩耗性に優れた材料で形成されており、
前記第１ガイド部材および前記第２ガイド部材は、前記裏生地の前記折返し部に接触されている、請求項４に記載のマスク。
【請求項６】
前記第１ガイド部材および前記第２ガイド部材は、前記裏生地の下端部の二重に構成された部分で挟まれている、請求項５に記載のマスク。
【請求項７】
使用者の耳に掛けられる左右一対の左耳掛け紐および右耳掛け紐をさらに備えており、
前記左耳掛け紐の一方端部は、前記マスク本体の左端部の上部に接合されており、
前記左耳掛け紐の他方端部は、前記マスク本体の左端部の下部における前記筒状部よりも上方の部分に接合されており、
前記右耳掛け紐の一方端部は、前記マスク本体の右端部の上部に接合されており、
前記右耳掛け紐の他方端部は、前記マスク本体の右端部の下部における前記筒状部よりも上方の部分に接合されている、請求項１ないし６のいずれか１項に記載のマスク。
【考案の詳細な説明】
【技術分野】
【０００１】
本考案は、使用者の口および鼻を覆うマスク本体を備える衛生用品としてのマスクに関する。
【背景技術】
【０００２】
近年では、ウイルス、花粉および微小粒子状物質（ＰＭ２．５）などの異物を捕捉するマスクの重要性が高まっているが、使用者の顔とマスクとの間の空間が蒸れると、不快なだけでなく、熱中症を発症するリスクが高くなる。そこで、従来から蒸れを抑制できる様々な種類のマスクが開発されており、その一例が下記特許文献１に記載されている。特許文献１のマスクは、中心パネルと、中心パネルの上部に接合された第１パネルと、中心パネルの下部に接合された第２パネルとを備えている。使用者がマスクを着用すると、中心パネル、第１パネルおよび第２パネルによって顔とマスクとの間に広大な空間が構成される。
【先行技術文献】
【特許文献】
【０００３】
【特許文献１】特開２００７−１５９７８４号公報
【考案の概要】
【考案が解決しようとする課題】
【０００４】
特許文献１のマスクでは、顔とマスクとの間に広大な空間を確保できるので、当該空間の蒸れを抑制して快適性を高めることができる。しかしながら、当該空間は、一般的なマスクと同様に常に密閉されるため、蒸れを抑制する効果は限定的であり、気温が高い屋外での使用や、ランニングなどの運動時の使用では、快適な使用感を得ることができず、また、熱中症を発症するリスクを十分に抑えることができなかった。
【０００５】
本考案は上記問題に対処するためになされたものであり、蒸れをより効果的に抑制できる、マスクを提供することを目的とする。
【課題を解決するための手段】
【０００６】
上記目的を達成するため、本考案に係るマスクの特徴は、柔軟性を有する材料で形成され、使用者の口および鼻を覆うマスク本体と、前記マスク本体の下端部に使用者から見て左右方向へ延びて形成された筒状部と、前記筒状部の内部に配置され、その一方端部が前記マスク本体に固定され、その他方端部が前記マスク本体の左端部において前記筒状部から引き出された第１ガイド部材と、前記筒状部の内部に配置され、その一方端部が前記マスク本体に固定され、その他方端部が前記マスク本体の右端部において前記筒状部から引き出された第２ガイド部材とを備え、前記マスク本体は、使用者の口および鼻との間に呼吸をするための呼吸空間を構成するように立体的に形成されており、前記第１ガイド部材および前記第２ガイド部材は、容易に変形可能な材料によって細長い形状に形成されており、前記マスク本体の下端部を前記第１ガイド部材および前記第２ガイド部材に沿って左右方向へ広げたとき、前記マスク本体の下端部が使用者の顔から離間して、前記呼吸空間が下方へ向けて開放され、前記マスク本体の下端部を前記第１ガイド部材および前記第２ガイド部材に沿って左右方向の中央部へ向けて絞ったとき、前記マスク本体の下端部が使用者の顔に接触して、前記呼吸空間が閉じられることにある。
【０００７】
この構成では、マスク本体の下端部を第１ガイド部材および第２ガイド部材に沿って左右方向へ広げたり絞ったりするだけで、呼吸空間を下方へ向けて開放したり閉じたりすることができる。
【０００８】
マスク本体の下端部を第１ガイド部材および第２ガイド部材に沿って左右方向へ広げたときには、呼吸空間が下方へ向けて開放される。したがって、呼吸空間に湿気や熱が溜まることを防止でき、呼吸空間の蒸れを効果的に抑制できる。これにより、気温が高い屋外での使用や、ランニングなどの運動時の使用でも、快適な使用感を得ることができるとともに、熱中症を発症するリスクを十分に抑えることができる。
【０００９】
マスク本体の下端部を第１ガイド部材および第２ガイド部材に沿って左右方向の中央部へ向けて絞ったときには、呼吸空間が閉じられるので、異物の捕捉性を高めることができる。つまり、一般的なマスクと同様に、呼吸空間に異物が侵入したり、呼吸空間から飛沫が拡散したりすることを抑制できる。第１ガイド部材および第２ガイド部材は、容易に変形可能な材料によって細長い形状に形成されているので、マスク本体の下端部の形状が変形されるときには、それに追従するように、第１ガイド部材および第２ガイド部材の形状が変形される。したがって、マスク本体の下端部の形状を使用者の顔の形状に合わせて変形させ易い。
【００１０】
本考案に係るマスクの他の特徴は、前記第１ガイド部材および前記第２ガイド部材は、扁平形状に形成されており、前記筒状部が前記第１ガイド部材および前記第２ガイド部材に接触したときに生じる摩擦力によって、前記マスク本体の下端部が前記第１ガイド部材および前記第２ガイド部材に対して左右方向へ移動することが抑制される。
【００１１】
この構成では、扁平形状の第１ガイド部材および第２ガイド部材に筒状部を接触させることによって、大きな摩擦力を生じさせることができる。したがって、マスク本体の下端部を絞ったときの絞り状態を当該摩擦力によって安定して保持することが可能であり、絞り状態が緩んで異物の捕捉性が低下することを抑制できる。また、第１ガイド部材、第２ガイド部材、表部分および裏部分の全てが扁平形状（帯状）に形成されているため、これらの重なった部分の厚さを薄くすることが可能であり、これらを目立ち難くすることができる。
【００１２】
本考案に係るマスクの他の特徴は、前記マスク本体は、その表面を構成するシート状の表生地と、その裏面を構成するシート状の裏生地とを有しており、前記筒状部は、前記表生地の下端部で構成された帯状の表部分と、前記裏生地の下端部で構成された帯状の裏部分とを有しており、前記第１ガイド部材および前記第２ガイド部材は、前記表部分と前記裏部分との間に配置されていることにある。
【００１３】
この構成では、筒状部の表部分および裏部分が表生地および裏生地と一体であるため、これらが独立している場合に比べて、部品点数を少なくすることができる。
【００１４】
本考案に係るマスクの他の特徴は、前記表生地および前記裏生地の少なくとも一方の下端部は、前記表生地と前記裏生地との間に折り返されて二重に構成されており、その折り返された折返し部が前記筒状部の内部で前記第１ガイド部材および前記第２ガイド部材に接触されていることにある。
【００１５】
この構成では、表生地と裏生地との間に折り返された折返し部が、折れたり捻れたりしながら第１ガイド部材および第２ガイド部材に接触して摩擦力を生じさせるので、マスク本体の下端部を絞ったときの絞り状態を、当該摩擦力によって安定して保持できる。
【００１６】
本考案に係るマスクの他の特徴は、前記表生地は、主として天然材料で形成されており、前記裏生地は、前記表生地の材料に比べて耐摩耗性に優れた材料で形成されており、前記第１ガイド部材および前記第２ガイド部材は、前記裏生地の前記折返し部に接触されていることにある。
【００１７】
この構成では、表生地が主として天然材料で形成されているので、自然な風合いを得ることができる。裏生地は、表生地の材料に比べて耐摩耗性に優れた材料で形成されているので、第１ガイド部材および第２ガイド部材に接触された裏生地の折返し部が摩擦力で摩耗することを抑制でき、マスクの寿命を延ばすことができる。
【００１８】
本考案に係るマスクの他の特徴は、前記第１ガイド部材および前記第２ガイド部材は、前記裏生地の下端部の二重に構成された部分で挟まれていることにある。
【００１９】
この構成では、第１ガイド部材および第２ガイド部材が裏生地の下端部の二重に構成された部分で挟まれているので、天然材料で形成された表生地が第１ガイド部材および第２ガイド部材から受ける摩擦力などで摩耗することを抑制できる。
【００２０】
本考案に係るマスクの他の特徴は、使用者の耳に掛けられる左右一対の左耳掛け紐および右耳掛け紐をさらに備えており、前記左耳掛け紐の一方端部は、前記マスク本体の左端部の上部に接合されており、前記左耳掛け紐の他方端部は、前記マスク本体の左端部の下部における前記筒状部よりも上方の部分に接合されており、前記右耳掛け紐の一方端部は、前記マスク本体の右端部の上部に接合されており、前記右耳掛け紐の他方端部は、前記マスク本体の右端部の下部における前記筒状部よりも上方の部分に接合されていることにある。
【００２１】
この構成では、左耳掛け紐の他方端部は、マスク本体の左端部の下部における筒状部よりも上方の部分に接合されており、右耳掛け紐の他方端部は、マスク本体の右端部の下部における筒状部よりも上方の部分に接合されている。したがって、使用者がマスクを着用した状態において、筒状部から引き出された第１ガイド部材および第２ガイド部材を手で掴み易く、マスク本体の下端部を絞る作業を簡単に行うことができる。
【図面の簡単な説明】
【００２２】
【図１】第１実施形態に係るマスクの使用状態を示す図であり、（Ａ）は開放状態の斜視図、（Ｂ）は開放状態の左側面図である。
【図２】第１実施形態に係るマスクの使用状態を示す図であり、（Ａ）は絞り状態の斜視図、（Ｂ）は絞り状態の左側面図である。
【図３】第１実施形態に係るマスク（開放状態）の構成を示すマスク本体を開いたときの正面図である。
【図４】第１実施形態に係るマスク（開放状態）の構成を示すマスク本体を畳んだときの左側面図である。
【図５】第１実施形態に係るマスク（開放状態）の構成を示す図３におけるＶ−Ｖ線断面図である。
【図６】マスク本体の構成を示す分解斜視図である。
【図７】第１実施形態に係るマスク（絞り状態）の構成を示すマスク本体を畳んだときの左側面図である。
【図８】第２実施形態に係るマスクの構成を示す断面図である。
【図９】第３実施形態に係るマスクの構成を示す断面図である。
【図１０】第４実施形態に係るマスク（開放状態）の構成を示すマスク本体を開いたときの正面図である。
【考案を実施するための形態】
【００２３】
以下、本考案に係るマスクの実施形態について、図面を参照しながら説明する。
【００２４】
（第１実施形態に係るマスクの構成）
図１は、第１実施形態に係るマスク１０の使用状態を示す図であり、図１（Ａ）は開放状態の斜視図、図１（Ｂ）は開放状態の左側面図である。図２は、第１実施形態に係るマスク１０の使用状態を示す図であり、図２（Ａ）は絞り状態の斜視図、図２（Ｂ）は絞り状態の左側面図である。なお、以下の説明で用いる前後、左右および上下の各方向は、使用者Ｘから見た方向であり、図中に矢印で示す各方向と一致する。また、表裏の方向は、マスク本体１２に対する方向であり、前後の方向と一致する。
【００２５】
図１（Ａ），（Ｂ）および図２（Ａ），（Ｂ）に示すマスク１０は、ウイルス感染症、花粉症および大気汚染による健康障害などを防止するために、使用者Ｘが着用する衛生用品である。マスク１０は、柔軟性を有する材料で形成され、使用者Ｘの口Ｍおよび鼻Ｎを覆うマスク本体１２と、第１ガイド部材１４と、第２ガイド部材１６（図３）と、マスク本体１２の下端部１２ａに左右方向へ延びて形成された筒状部１８と、左耳掛け紐２０と、右耳掛け紐２２（図３）とを備えている。なお、図１（Ａ），（Ｂ）および図２（Ａ），（Ｂ）では、第２ガイド部材１６および右耳掛け紐２２は隠れて見えない。マスク１０は、マスク本体１２の下端部１２ａを広げたり絞ったりすることによって、図１（Ａ），（Ｂ）に示す第１態様と、図２（Ａ），（Ｂ）に示す第２態様とを選択的にとることができるように構成されている。
【００２６】
図１（Ａ），（Ｂ）に示す第１態様は、湿気や熱の放散性を高めるときの態様であり、気温が高い屋外での使用や、ランニングなどの運動時の使用に適した態様である。第１態様では、マスク本体１２の下端部１２ａが左右方向へ広げられており、当該下端部１２ａが使用者Ｘの顔から離間している。これにより、マスク本体１２と使用者Ｘの口Ｍおよび鼻Ｎとの間に構成された呼吸空間Ｓ（後述）が、下方へ向けて開放されている。使用者Ｘの顔は、平面視で湾曲しているため、図１（Ａ），（Ｂ）に示すマスク本体１２の下端部１２ａは、平面視で左右方向中央部から左後方へ向かって広げられており、かつ、左右方向中央部から右後方へ向かって広げられている。したがって、マスク本体１２の下端部１２ａが広げられる上記左右方向は、厳密には、図３中に矢印で示す左右方向である。第１態様におけるマスク本体１２の下端部１２ａの状態が「開放状態」である。
【００２７】
図２（Ａ），（Ｂ）に示す第２態様は、ウイルス、花粉および微小粒子状物質（ＰＭ２．５）などの異物を捕捉する捕捉性を高めるときの態様であり、通常の日常生活での使用に適した態様である。第２態様では、マスク本体１２の下端部１２ａが左右方向の中央部へ向けて絞られており、当該下端部１２ａが使用者Ｘの顔に接触している。これにより、マスク本体１２と使用者Ｘの口Ｍおよび鼻Ｎとの間に構成された呼吸空間Ｓ（後述）が閉じられている。第２態様におけるマスク本体１２の下端部１２ａの状態が「絞り状態」である。
【００２８】
以下では、マスク１０の構成について、図１（Ａ），（Ｂ）に示す第１態様（開放状態）に基づいて説明する。図３は、マスク１０（開放状態）の構成を示すマスク本体１２を開いたときの正面図である。図４は、マスク１０（開放状態）の構成を示すマスク本体１２を畳んだときの左側面図である。図５は、マスク１０（開放状態）の構成を示す図３におけるＶ−Ｖ線断面図である。図６は、マスク本体１２の構成を示す分解斜視図である。図７は、マスク１０（絞り状態）の構成を示すマスク本体１２を畳んだときの左側面図である。上述した通り、マスク１０は、マスク本体１２と、第１ガイド部材１４と、第２ガイド部材１６と、筒状部１８と、左耳掛け紐２０と、右耳掛け紐２２とを備えている。
【００２９】
図３に示すように、マスク本体１２は、左右対称に構成されたシート状の左側部分２６および右側部分２８を有している。図１（Ａ），（Ｂ）に示すように、左側部分２６は、使用者Ｘの顔の中央部から左側の頬の後部までを覆うシート状に形成されている。左側部分２６の右端縁２６ａは、使用者Ｘの口Ｍおよび鼻Ｎに沿って湾曲した円弧状に形成されており、左側部分２６の左端縁２６ｂは、上下方向へ延びる直線状に形成されている。また、図４に示すように、左側部分２６の下端縁２６ｃは、直線状に形成されており、左側部分２６の上端縁２６ｄは、右端縁２６ａから左端縁２６ｂへ向かうにつれて徐々に高さが低くなるように湾曲して形成されている。
【００３０】
図３に示すように、右側部分２８は、使用者Ｘの顔の中央部から右側の頬の後部までを覆うシート状に形成されている。右側部分２８の左端縁２８ａは、使用者Ｘの口Ｍおよび鼻Ｎに沿って湾曲した円弧状に形成されており、右側部分２８の右端縁２８ｂは、上下方向へ延びる直線状に形成されている。また、右側部分２８の下端縁２８ｃは、直線状に形成されており、右側部分２８の上端縁２８ｄは、左端縁２８ａから右端縁２８ｂへ向かうにつれて徐々に高さが低くなるように湾曲して形成されている。
【００３１】
図４に示すように、左側部分２６と右側部分２８とは、左右対称のシート状に形成されていることから、互いに重ね合わせることが可能である。左側部分２６と右側部分２８とが重ね合わされた状態において、左側部分２６の湾曲した右端縁２６ａと右側部分２８の湾曲した左端縁２８ａとは繋がっている。そのため、図３に示すように、マスク本体１２を広げた状態では、湾曲した右端縁２６ａおよび左端縁２８ａが前方へ膨らんだ立体形状となる。つまり、広げた状態のマスク本体１２は、空間を構成するように立体的に形成されている。したがって、図１（Ａ），（Ｂ）に示すように、使用者Ｘがマスク１０を着用した状態では、マスク本体１２と使用者Ｘの口Ｍおよび鼻Ｎとの間に呼吸をするための呼吸空間Ｓが構成される。
【００３２】
図６に示すように、上記基本構成を備えるマスク本体１２は、具体的には、マスク本体１２の表面（前面）３６を構成するシート状の表生地３０と、マスク本体１２の裏面（後面）３８を構成するシート状の裏生地３２と、表生地３０の裏面に取り付けられたシート状の中生地３４とを有している。表生地３０、裏生地３２および中生地３４は、左側部分２６および右側部分２８に対応するように、左右に分割して形成されている。つまり、表生地３０は、左側表生地片３０ａと右側表生地片３０ｂとに分割されており、裏生地３２は、左側裏生地片３２ａと右側裏生地片３２ｂとに分割されている。また、中生地３４は、左側中生地片３４ａと右側中生地片３４ｂとに分割されている。表生地３０および裏生地３２は、同じ形状で同じ大きさに形成されており、中生地３４は、これらよりも小さく形成されている。
【００３３】
表生地３０は、主として天然材料で形成されており、裏生地３２は、表生地３０の材料に比べて耐摩耗性に優れた材料で形成されている。表生地３０の材料としては、例えば、綿、麻および羊毛などの天然繊維を主成分とする織物（布帛）や編物（ニット）を用いることができる。裏生地３２の材料としては、例えば、ポリエステル、ナイロンおよびアクリルなどの化学繊維や、化学繊維と天然繊維との混合繊維を主成分とする織物（布帛）や編物（ニット）を用いることができる。中生地３４は、表生地３０および裏生地３２よりも異物の捕捉性に優れた材料で形成されている。中生地３４の材料としては、例えば、ポリプロピレンなどの化学繊維を主成分とする不織布や、発泡ポリウレタンを主成分とする多孔質のシートを用いることができる。
【００３４】
図３に示すマスク本体１２を製造する際には、図６に示す左側表生地片３０ａおよび右側表生地片３０ｂの裏面（後面）に、左側中生地片３４ａおよび右側中生地片３４ｂが縫合される。続いて、左側表生地片３０ａと右側表生地片３０ｂとが縫合されて表生地３０が構成される。また、図６に示す左側裏生地片３２ａと右側裏生地片３２ｂとが縫合されて裏生地３２が構成される。そして、表生地３０の外周部と裏生地３２の外周部とが縫合されることによってマスク本体１２が構成される。なお、図３および図６に示した一点鎖線は、縫合の際に折られる折り線Ｑであり、表生地３０および裏生地３２は、折り線Ｑに沿って折られて、折り線Ｑの近傍部分で縫合される。なお、図３および図４では、縫合のためのステッチ（縫い目）Ｒを破線で示している。
【００３５】
図６に示す中生地３４は、表生地３０および裏生地３２よりも小さく形成されており、少なくとも呼吸空間Ｓ（図１（Ａ），（Ｂ））を覆うことができるようにマスク本体１２の中央部に設けられている。したがって、マスク本体１２においては、呼吸空間Ｓを覆う中央部の異物の捕捉性が左右方向の両端部の異物の捕捉性に比べて高められており、左右方向の両端部の通気性が中央部の通気性に比べて高められている。つまり、通気性が損なわれることを抑制しつつ、異物の捕捉性が効果的に高められている。
【００３６】
図３に示す第１ガイド部材１４および第２ガイド部材１６は、表生地３０と同じ生地を用いて連続する１本の紐状に形成されている。つまり、第１ガイド部材１４および第２ガイド部材１６は、外力を受けたときに容易に変形可能な材料によって、扁平形状の細長い紐状に形成されている。図５に示すように、本実施形態では、第１ガイド部材１４および第２ガイド部材１６を構成する帯状の生地４０が、その幅方向両端部において同じ側へ二つ折りにされており、二つ折りにされた部分を内側にして、さらに二つ折りにされている。そして、四重に重ねられた生地４０の開いた側の側端部４０ａが長さ方向の全長にわたって縫合されている。
【００３７】
図３に示すように、筒状部１８は、第１ガイド部材１４および第２ガイド部材１６が挿通される筒状の部分であり、マスク本体１２の下端部１２ａに、下端部１２ａの全長にわたって左右方向へ延びて形成されている。図５に示すように、筒状部１８は、マスク本体１２の下端部１２ａの表面３６を構成する帯状の表部分４２と、マスク本体１２の下端部１２ａの裏面３８を構成する帯状の裏部分４４とを有している。本実施形態では、表部分４２が、表生地３０の下端部で構成されており、裏部分４４が、裏生地３２の下端部で構成されている。表部分４２と裏部分４４とは、これらの下端部４２ａ，４４ａにおいて互いに縫合されており、かつ、これらの上端部４２ｂ，４４ｂにおいて互いに縫合されている。第１ガイド部材１４および第２ガイド部材１６が筒状部１８に挿通されていない状態（図示省略）において、表部分４２および裏部分４４は、互いに近接して平行に配置されている。
【００３８】
図５に示すように、本実施形態では、マスク本体１２を構成する表生地３０の下端部が、表生地３０と裏生地３２との間に折り返されて二重に構成されており、その折り返された第１折返し部４６が筒状部１８の内部に配置されている。また、マスク本体１２を構成する裏生地３２の下端部が、表生地３０と裏生地３２との間に折り返されて二重に構成されており、その折り返された第２折返し部４８が筒状部１８の内部に配置されている。
【００３９】
図５に示すように、表部分４２の下端部４２ａと裏部分４４の下端部４４ａとは、第１折返し部４６および第２折返し部４８の基端部どうしを縫合することによって互いに接合されている。また、表部分４２の上端部４２ｂと裏部分４４の上端部４４ｂとは、第１折返し部４６および第２折返し部４８の上端縁４６ａ，４８ａよりも上方に位置する部分どうしを縫合することによって互いに接合されている。したがって、第１折返し部４６および第２折返し部４８の先端部は固定されておらず、筒状部１８の内部における第１折返し部４６および第２折返し部４８の動きが許容されている。
【００４０】
図３に示すように、第１ガイド部材１４と第２ガイド部材１６とが連続することによって構成された扁平形状の紐部材５０は、筒状部１８を貫通した状態で表部分４２と裏部分４４との間に配置されている。そして、紐部材５０の長さ方向中央部５０ａは、マスク本体１２の左右方向の中央部に固定されている。本実施形態では、紐部材５０の長さ方向中央部５０ａが、上下方向へ延びるステッチ（縫い目）Ｔにおいて、表生地３０および裏生地３２に対して縫合されている。これにより、第１ガイド部材１４および第２ガイド部材１６のそれぞれの一方端部１４ａ，１６ａがマスク本体１２の左右方向の中央部に固定されている。
【００４１】
図３に示すように、第１ガイド部材１４および第２ガイド部材１６のそれぞれの他方端部１４ｂ，１６ｂは、マスク本体１２の左端部１２ｂおよび右端部１２ｃにおいて筒状部１８から引き出されている。なお、他方端部１４ｂ，１６ｂが筒状部１８から引き出される位置は、マスク本体１２の左端縁および右端縁であってもよいし（図３）、左端縁および右端縁から中央側へずれた位置（図示省略）であってもよい。
【００４２】
図５に示すように、本実施形態では、紐部材５０（第１ガイド部材１４および第２ガイド部材１６）が、筒状部１８の内部において、裏部分４４と第２折返し部４８との間に配置されている。裏部分４４および第２折返し部４８は、裏生地３２で構成された部分であり、表生地３０の材料に比べて耐摩耗性に優れた材料で形成されている。したがって、裏部分４４および第２折返し部４８は、第１ガイド部材および第２ガイド部材から摩擦力を受けても摩耗し難い。
【００４３】
図３に示すように、左耳掛け紐２０は、紐本体５２と、左耳掛け紐２０の全体長さを調整するための長さ調整部５４とを有している。紐本体５２は、使用者Ｘの左耳に掛けられる帯状の部材であり、第１ガイド部材１４および第２ガイド部材１６と同様に、表生地３０と同じ生地を用いて帯状に構成されている。長さ調整部５４は、紐本体５２と同様の紐状の部材を用いて環状に構成された繋ぎ部５６と、繋ぎ部５６に取り付けられた２つのリング部５８ａ，５８ｂとを有している。図４に示すように、紐本体５２の一方端部５２ａは、２つのリング部５８ａ，５８ｂに挿通されて、長さ調整可能に固定されている。
【００４４】
図３に示すように、左耳掛け紐２０の一方端部を構成する紐本体５２の他方端部５２ｂは、マスク本体１２の左端部１２ｂの上部、すなわち左側部分２６の左端縁２６ｂの上部に接合されている。左耳掛け紐２０の他方端部を構成する繋ぎ部５６は、マスク本体１２の左端部１２ｂの下部、すなわち左側部分２６の左端縁２６ｂの下部における筒状部１８よりも上方の部分に接合されている。本実施形態では、紐本体５２の他方端部５２ｂおよび繋ぎ部５６が、表生地３０と裏生地３２の間に挟み込まれて、これらに対して縫合されている。
【００４５】
図３に示すように、右耳掛け紐２２は、左耳掛け紐２０と同様に構成されているので、左耳掛け紐２０の各部分と対応する各部分には、同じ符号を付して、その重複する説明を省略する。
【００４６】
（第１実施形態に係るマスクの効果）
本実施形態によれば、上記構成により以下の各効果を奏することができる。すなわち、図３に示すマスク本体１２の下端部１２ａを第１ガイド部材１４および第２ガイド部材１６に沿って左右方向へ広げたり絞ったりするだけで、図１（Ａ），（Ｂ）に示す第１態様と図２（Ａ），（Ｂ）に示す第２態様とを適宜切り替えることができる。
【００４７】
図１（Ａ），（Ｂ）に示すように、マスク本体１２は、使用者Ｘの口Ｍおよび鼻Ｎとの間に呼吸をするための呼吸空間Ｓを構成するように立体的に形成されている。マスク本体１２の下端部１２ａを左右方向へ広げた第１態様では、呼吸空間Ｓが下方へ向けて開放される。したがって、呼吸空間Ｓに湿気や熱が溜まることを防止でき、呼吸空間Ｓの蒸れを効果的に抑制できる。これにより、気温が高い屋外での使用や、ランニングなどの運動時の使用でも、快適な使用感を得ることができるとともに、熱中症を発症するリスクを十分に抑えることができる。
【００４８】
図２（Ａ），（Ｂ）に示すように、マスク本体１２の下端部１２ａを第１ガイド部材１４および第２ガイド部材１６（図３）に沿って左右方向の中央部へ向けて絞った第２態様では、マスク本体１２と使用者Ｘの口Ｍおよび鼻Ｎとの間の呼吸空間Ｓが閉じられるので、異物の捕捉性を高めることができる。つまり、一般的なマスクと同様に、呼吸空間Ｓに異物が侵入したり、呼吸空間Ｓから飛沫が拡散したりすることを抑制できる。
【００４９】
図３に示す第１ガイド部材１４および第２ガイド部材１６は、容易に変形可能な材料によって細長い紐状に形成されているので、第１ガイド部材１４および第２ガイド部材１６の形状をマスク本体１２の下端部１２ａの形状に合わせて変形させることが可能であり、マスク本体１２の下端部１２ａの形状を使用者Ｘの顔の形状に合わせて変形させ易い。
【００５０】
図３に示すように、第１ガイド部材１４および第２ガイド部材１６のそれぞれの一方端部１４ａ，１６ａは、マスク本体１２の左右方向の中央部に固定されているので、使用者Ｘは、マスク本体１２の左右方向の中央部を挟んだ両側の部分を、ほぼ同じ感覚で広げたり絞ったりすることができる。
【００５１】
図３に示すように、第１ガイド部材１４と第２ガイド部材１６とは、分断されることなく連続して形成されているので、これらが別々に形成される場合に比べて、部品点数を少なくすることができる。また、連続する１本の紐部材５０の長さ方向中央部５０ａをマスク本体１２に固定するだけで、第１ガイド部材１４および第２ガイド部材１６のそれぞれをマスク本体１２に簡単に固定することができる。
【００５２】
図５に示すように、筒状部１８を構成する表部分４２および裏部分４４を扁平形状の第１ガイド部材１４および第２ガイド部材１６に接触させることによって、大きな摩擦力を生じさせることができる。したがって、図７に示すマスク本体１２の下端部１２ａを絞ったときの絞り状態を当該摩擦力によって安定して保持することが可能であり、絞り状態が緩んで異物の捕捉性が低下することを抑制できる。また、第１ガイド部材１４、第２ガイド部材１６、表部分４２および裏部分４４の全てが帯状（扁平形状）に形成されているため、これらの重なった部分の厚さを薄くすることが可能であり、これらを目立ち難くすることができる。
【００５３】
図５に示すように、表部分４２は、表生地３０の下端部で構成されており、裏部分４４は、裏生地３２の下端部で構成されているので、表部分４２および裏部分４４が表生地３０および裏生地３２から独立した部分として構成される場合に比べて、部品点数を少なくすることができる。
【００５４】
図５に示すように、表生地３０の第１折返し部４６および裏生地３２の第２折返し部４８を表部分４２と紐部材５０（第１ガイド部材１４および第２ガイド部材１６）との間に緩衝材として配置できるので、表部分４２が紐部材５０（第１ガイド部材１４および第２ガイド部材１６）から受ける摩擦力などで摩耗することを抑制できる。また、第１折返し部４６および第２折返し部４８が、折れたり捻れたりしながら紐部材５０（第１ガイド部材１４および第２ガイド部材１６）に接触して摩擦力を生じさせるので、マスク本体１２の下端部１２ａを絞ったときの絞り状態を、当該摩擦力によって安定して保持できる。
【００５５】
図５に示す表生地３０が主として天然材料で形成されているので、自然な風合いを得ることができる。裏生地３２は、表生地３０の材料に比べて耐摩耗性に優れた材料で形成されているので、紐部材５０（第１ガイド部材１４および第２ガイド部材１６）に接触された裏生地３２の第２折返し部４８が摩擦力で摩耗することを抑制でき、マスク１０の寿命を延ばすことができる。
【００５６】
図５に示すように、紐部材５０（第１ガイド部材１４および第２ガイド部材１６）が裏生地３２の下端部の二重に構成された部分で挟まれているので、天然材料で形成された表生地３０が紐部材５０から受ける摩擦力などで摩耗することを抑制できる。
【００５７】
図３に示すように、左耳掛け紐２０の他方端部を構成する繋ぎ部５６は、マスク本体１２の左端部１２ｂの下部における筒状部１８よりも上方の部分に接合されており、右耳掛け紐２２の他方端部を構成する繋ぎ部５６は、マスク本体１２の右端部１２ｃの下部における筒状部１８よりも上方の部分に接合されている。したがって、使用者Ｘがマスク１０を着用した状態において、筒状部１８から引き出された第１ガイド部材１４および第２ガイド部材１６を手で掴み易く、マスク本体１２の下端部１２ａを絞る作業を簡単に行うことができる。
【００５８】
（変更例）
なお、本考案の実施にあたっては、上記実施形態に限定されず、本発明の目的を逸脱しない限りにおいて種々の変更が可能である。すなわち、上記実施形態では、図３に示す第１ガイド部材１４および第２ガイド部材１６が表生地３０と同じ生地で帯状（扁平形状）に構成されているが、これらは、表生地３０とは異なる材料で構成されてもよいし、帯状（扁平形状）とは異なる形状に形成されてもよい。つまり、第１ガイド部材１４および第２ガイド部材１６は、外力を受けたときに容易に変形可能な材料によって細長い形状に形成されていればよい。例えば、第１ガイド部材１４および第２ガイド部材１６は、合成樹脂、紙、革および針金などの材料で構成されてもよいし、円形、矩形および異形などの断面を有する線状または棒状に形成されてもよい。また、第１ガイド部材１４および第２ガイド部材１６は、必ずしも布帛のような柔軟性を有する必要はなく、使用者Ｘの顔の形状に応じて変形する程度の可撓性または弾性を有していてもよい。
【００５９】
また、図３に示す第１ガイド部材１４および第２ガイド部材１６のそれぞれの数は、１本に限定されるものではなく、２本以上が平行に配置されてもよいし、２本以上が撚り合わされた状態で配置されてもよい。
【００６０】
図５に示す裏生地３２は、表生地３０の材料に比べて耐摩耗性に優れた材料で形成されているが、表生地３０および裏生地３２のそれぞれの材料の耐摩耗性は、同程度であってもよいし、表生地３０の材料の方が優れていてもよい。
【００６１】
上記実施形態では、図３に示す筒状部１８がマスク本体１２の下端部１２ａの長さ方向の全長にわたって形成されているが、筒状部１８は、マスク本体１２の下端部１２ａの長さ方向において間欠的に形成されてもよいし、マスク本体１２の左右方向両端縁の近傍では省略されてもよい。
【００６２】
上記実施形態では、図３に示す左耳掛け紐２０および右耳掛け紐２２が長さ調整部５４を有しているが、長さ調整部５４は省略されてもよい。この場合、紐本体５２は、伸縮性（ゴム弾性）を有する材料で形成されてもよい。また、長さ調整部５４としては、２つのリング部５８ａ，５８ｂに代えて、既存の他の長さ調整具が用いられてもよい。
【００６３】
上記実施形態では、図５に示す筒状部１８の表部分４２および裏部分４４が、表生地３０および裏生地３２の一部で構成されているが、表部分４２および裏部分４４は、表生地３０および裏生地３２から独立した部分として、これらとは異なる材料で構成されてもよい。
【００６４】
図８は、第２実施形態に係るマスク６０の構成を示す断面図である。図９は、第３実施形態に係るマスク７０の構成を示す断面図である。図１０は、第４実施形態に係るマスク８０（開放状態）の構成を示すマスク本体１２を開いたときの正面図である。
【００６５】
上記実施形態では、紐部材５０（第１ガイド部材１４および第２ガイド部材１６）が、裏部分４４と第２折返し部４８との間に配置されているが、図８に示す第２実施形態に係るマスク６０のように、紐部材５０（第１ガイド部材１４および第２ガイド部材１６）は、第１折返し部４６と第２折返し部４８との間に配置されてもよい。この場合には、第１折返し部４６および第２折返し部４８が緩衝材となるため、表部分４２および裏部分４４が紐部材５０（第１ガイド部材１４および第２ガイド部材１６）から受ける摩擦力で摩耗することを抑制でき、マスク１０の寿命を延ばすことができる。
【００６６】
図９に示す第３実施形態に係るマスク７０のように、紐部材５０（第１ガイド部材１４および第２ガイド部材１６）は、表部分４２と第１折返し部４６との間に配置されてもよい。この場合には、第１折返し部４６が緩衝材となるため、裏部分４４が紐部材５０（第１ガイド部材１４および第２ガイド部材１６）から受ける摩擦力で摩耗することを抑制でき、マスク１０の寿命を延ばすことができる。また、図９に示すように、中生地３４は、裏生地３２の前面に縫合されてもよいし、省略（図示省略）されてもよい。さらに、表生地３０および裏生地３２のいずれか一方（図９では表生地３０）の下端部だけが、表生地３０と裏生地３２との間に折り返されて二重に構成されてもよい。
【００６７】
図１０に示す第４実施形態に係るマスク８０のように、第１ガイド部材１４および第２ガイド部材１６は、互いに独立して別々に形成されてもよい。この場合には、第１ガイド部材１４および第２ガイド部材１６の一方端部１４ａ，１６ａが上下方向へ延びる２つのステッチ（縫い目）Ｔにおいて、表生地３０および裏生地３２に対して縫合されてもよい。また、一方端部１４ａ，１６ａどうしを重ね合わせて、１つのステッチ（縫い目）Ｔにおいて、表生地３０および裏生地３２に対して縫合されてもよい。
【符号の説明】
【００６８】
Ｓ…呼吸空間、Ｘ…使用者、１０…マスク、１２…マスク本体、１２ａ…下端部、１４…第１ガイド部材、１６…第２ガイド部材、１８…筒状部、２０…左耳掛け紐、２２…右耳掛け紐、３０…表生地、３２…裏生地、３４…中生地、３６…表面、３８…裏面、４２…表部分、４４…裏部分、４６…第１折返し部、４８…第２折返し部。
【図１】
0003231698.tif 000003
【図２】
0003231698.tif 000004
【図３】
0003231698.tif 000005
【図４】
0003231698.tif 000006
【図５】
0003231698.tif 000007
【図６】
0003231698.tif 000008
【図７】
0003231698.tif 000009
【図８】
0003231698.tif 000010
【図９】
0003231698.tif 000011
【図１０】
0003231698.tif 000012